(57)【要約】  一態様の切削インサートは、コーナ部及びコーナ部にそれぞれ隣接する一対の辺部を有する上面と、下面と、上面及び下面の間に位置する側面と、コーナ部に設けられたコーナ切刃とを備え、上面は、コーナ切刃に沿って位置する第１すくい面と、第１すくい面よりも内側に位置する隆起部と、コーナ切刃と隆起部との間に位置する第２すくい面とを有し、第２すくい面のコーナ切刃の中心に対応する第１領域でのすくい角が、第２すくい面における第１領域の側方に位置する第２領域でのすくい角よりも大きい。
2016017470.tif 000002
【特許請求の範囲】
【請求項１】
コーナ部及び該コーナ部にそれぞれ隣接する一対の辺部を有する上面と、下面と、前記上面及び前記下面の間に位置する側面と、前記コーナ部に設けられたコーナ切刃とを備え、
前記上面は、前記コーナ切刃に沿って位置する第１すくい面と、該第１すくい面よりも内側に位置しており、上方に向かって隆起する隆起部と、前記コーナ切刃と前記隆起部との間に位置して、前記第１すくい面に対して窪んだ第２すくい面と、を有し、
前記第２すくい面における前記コーナ切刃の中心に対応する第１領域でのすくい角が、前記第２すくい面における前記第１領域の側方に位置する第２領域でのすくい角よりも大きいことを特徴とする切削インサート。
【請求項２】
前記第２すくい面は、前記第１領域から前記第２領域における前記コーナ切刃の両端部に対応する端部領域に向かうにしたがってすくい角が小さくなっていることを特徴とする請求項１に記載の切削インサート。
【請求項３】
上面視した場合に、前記コーナ切刃の二等分線に直交する方向における前記コーナ切刃及び前記第２すくい面の幅は、前記コーナ切刃の前記幅が前記第２すくい面の前記幅よりも大きいことを特徴とする請求項１又は２に記載の切削インサート。
【請求項４】
前記上面における前記辺部に設けられた副切刃をさらに有し、
上面視した場合に、前記第２すくい面の端部は、前記コーナ切刃と前記副切刃との境界部分から、前記上面の内側であって前記境界部分における前記切刃に直交する方向に進んだ先に位置していることを特徴とする請求項３に記載の切削インサート。
【請求項５】
上面視した場合に、前記第２すくい面の外周縁における前記コーナ切刃と対向する部分が、前記コーナ切刃に向かって凸曲線形状であることを特徴とする請求項１〜４のいずれか１つに記載の切削インサート。
【請求項６】
上面視した場合に、前記第２すくい面の外周縁における前記コーナ切刃と対向する部分が、円弧形状であることを特徴とする請求項５に記載の切削インサート。
【請求項７】
前記コーナ切刃に直交し、前記コーナ切刃の二等分線を含む断面において、前記第２すくい面の底部が凹曲線形状であることを特徴とする請求項１〜６のいずれか１つに記載の切削インサート。
【請求項８】
前記第２すくい面は、前記コーナ切刃の中心に対応する位置から前記コーナ切刃の両端部に対応する位置に向かうにしたがって下端の前記下面からの高さが高くなっていることを特徴とする請求項１〜７のいずれか１つに記載の切削インサート。
【請求項９】
前記第１すくい面のすくい角は、前記コーナ切刃の中心に対応する位置から前記コーナ切刃の両端部に対応する位置にかけて一定であることを特徴とする請求項１〜８のいずれか１つに記載の切削インサート。
【請求項１０】
先端側にインサートポケットを有するホルダと、
前記コーナ切刃が前記ホルダの先端から突出するように前記インサートポケットに装着された、請求項１〜９のいずれか１つに記載の切削インサートとを具備した切削工具。
【請求項１１】
被削材を回転させる工程と、
回転している前記被削材に請求項１０に記載の切削工具における前記コーナ切刃を接触させる工程と、
回転している前記被削材から前記切削工具を離す工程とを備えた切削加工物の製造方法。
【発明の詳細な説明】
【技術分野】
【０００１】
本態様は、切削インサート及び切削工具、ならびにそれを用いた切削加工物の製造方法に関する。
【背景技術】
【０００２】
旋削加工において用いられる切削インサートとして、国際公開２０１１／０３７１８６号（特許文献１）及び特開２０１０−６９６１４号公報（特許文献２）に開示された切削インサートが知られている。特許文献１に開示された切削インサートにおいては、切れ刃に沿って延在するすくい面が、第１領域と第２領域とを有している。第２領域のすくい角は、第１領域のすくい角よりも大きい。【０００３】
特許文献２に開示された切削インサートは、上面のコーナ部に位置する切刃（コーナ切刃）と上面の突起部との間に形成された凹部を有している。このような凹部を有していることによって、コーナ部を使用する極低切り込みの切削の際においても切屑を処理することができる。【０００４】
コーナ部を使用する極低切り込みにおいて切り込み量を変化させた場合には、コーナ切刃における切削加工に用いられる領域が変化する。このとき、切屑の進む方向が変化するため、切り込み量に応じて最適なすくい角も変化する。しかしながら、特許文献１に開示されたすくい面の第２領域及び特許文献２に開示された凹部の前壁部のいずれにおいても、対応する切刃に対するすくい角が一定である。そのため、例えば倣い加工のように切込み量が変化する場合において、切屑の処理が不安定になる可能性がある。【０００５】
本態様は、上記の課題に鑑みてなされたものであり、コーナ部を使用する切り込み加工において切り込み量を変化させた場合であっても、切屑を安定して排出できる切削インサートを提供するものである。
【発明の概要】
【０００６】
一態様に基づく切削インサートは、コーナ部及び該コーナ部にそれぞれ隣接する一対の辺部を有する上面と、下面と、前記上面及び前記下面の間に位置する側面と、前記コーナ部に設けられたコーナ切刃とを備えている。前記上面は、前記コーナ切刃に沿って位置する第１すくい面と、該第１すくい面よりも内側に位置しており、上方に向かって隆起する隆起部と、前記コーナ切刃と前記隆起部との間に位置して、前記第１すくい面に対して窪んだ第２すくい面とを有している。そして、本態様の切削インサートは、前記第２すくい面における前記コーナ切刃の中心に対応する第１領域でのすくい角が、前記第２すくい面における前記第１領域の側方に位置する第２領域でのすくい角よりも大きいことを特徴とする。
【図面の簡単な説明】
【０００７】
【図１】本発明の一実施形態の切削インサートの斜視図である。
【図２】図１に示す切削インサートの上面図である。
【図３】図２に示す切削インサートをＸ方向から見た側面図である。
【図４】図１に示す切削インサートにおける領域Ａ１を拡大した斜視図である。
【図５】図２に示す切削インサートにおける領域Ａ２を拡大した上面図である。
【図６】図５に示す切削インサートにおける先端部分を拡大した上面図である。
【図７】図５に示す切削インサートにおけるＢ１−Ｂ１断面の断面図である。
【図８】図５に示す切削インサートにおけるＢ２−Ｂ２断面の断面図である。
【図９】図５に示す切削インサートにおけるＢ３−Ｂ３断面の断面図である。
【図１０】図５に示す切削インサートにおけるＢ４−Ｂ４断面の断面図である。
【図１１】本発明の一実施形態の変形例の切削インサートの斜視図である。
【図１２】図１１に示す切削インサートにおける領域Ａ３を拡大した斜視図である。
【図１３】本発明の一実施形態の切削工具を示す上面図である。
【図１４】図１３に示す切削工具における領域Ａ４を拡大した上面図である。
【図１５】本発明の一実施形態の切削加工物の製造方法の一工程を示す概略図である。
【図１６】本発明の一実施形態の切削加工物の製造方法の一工程を示す概略図である。
【図１７】本発明の一実施形態の切削加工物の製造方法の一工程を示す概略図である。
【発明を実施するための形態】
【０００８】
＜切削インサート＞
以下、一実施形態の切削インサートについて、図面を用いて詳細に説明する。但し、以下で参照する各図は、説明の便宜上、実施形態の構成部材のうち、本発明を説明するために必要な主要部材のみを簡略化して示したものである。従って、本発明の切削インサートは、参照する各図に示されていない任意の構成部材を備え得る。また、各図中の部材の寸法は、実際の構成部材の寸法及び各部材の寸法比率等を忠実に表したものではない。
【０００９】
図１〜図１０を参照して、一実施形態の切削インサート１（以下、単にインサート１ともいう）について説明する。
【００１０】
本実施形態のインサート１は、上面３、下面５、側面７、切刃９及び貫通孔１１を備えている。インサート１の材質としては、例えば、超硬合金又はサーメットなどが挙げられる。
【００１１】
超硬合金の組成としては、例えば、ＷＣ−Ｃｏ、ＷＣ−ＴｉＣ−Ｃｏ及びＷＣ−ＴｉＣ−ＴａＣ−Ｃｏが挙げられる。ＷＣ−Ｃｏは、炭化タングステン（ＷＣ）にコバルト（Ｃｏ）の粉末を加えて焼結して生成される。ＷＣ−ＴｉＣ−Ｃｏは、ＷＣ−Ｃｏに炭化チタン（ＴｉＣ）を添加したものである。ＷＣ−ＴｉＣ−ＴａＣ−Ｃｏは、ＷＣ−ＴｉＣ−Ｃｏに炭化タンタル（ＴａＣ）を添加したものである。
【００１２】
また、サーメットは、セラミック成分に金属を複合させた焼結複合材料である。具体的には、サーメットとして、炭化チタン（ＴｉＣ）、又は窒化チタン（ＴｉＮ）などのチタン化合物を主成分としたものが一例として挙げられる。
【００１３】
インサート１を構成する上記の部材の表面は、化学蒸着（ＣＶＤ）法又は物理蒸着（ＰＶＤ）法を用いて被膜でコーティングされていてもよい。被膜の組成としては、炭化チタン（ＴｉＣ）、窒化チタン（ＴｉＮ）、炭窒化チタン（ＴｉＣＮ）又はアルミナ（Ａｌ２Ｏ３）などが挙げられる。
【００１４】
上面視した場合において、上面３は多角形状であり、図２に示すように、本実施形態においては菱形の形状となっている。菱形の上面３は、コーナ部及び一対の辺部を有している。一対の辺部は、それぞれコーナ部に隣接している。すなわち、一対の辺部は、コーナ部を間に挟むように位置している。ここで、多角形状とは、厳密に多角形の形状であることを意味するものではない。例えば、本実施形態での上面３におけるコーナ部は厳密な角となっておらず、上面視において丸みを帯びた形状となっている。
【００１５】
本実施形態における上面３は、上面視において鋭角であるコーナ部を２つ有している。そのため、コーナ部を間に挟むように位置する一対の辺部を２つ具備している。なお、鋭角のコーナ部は１つであっても２つであってもよい。一対の辺部は、それぞれ上面視した場合において直線形状となっている。
【００１６】
下面５は、上面３とは反対側に位置する面である。下面５はインサート１をホルダに取り付ける際にインサートポケットへの座面として機能する。本実施形態における下面５は、上面３に対応する多角形状となっている。ただし、本実施形態においては、下面５は上面３と同様に菱形の形状であるが、上面３よりも一回り小さくなっている。なお、下面５が上面３と同じ大きさであってもよい。この場合には、上面視において、下面５の周縁が上面３の周縁と重なり合う。
【００１７】
上面３及び下面５の形状は、上記の形態に限定されない。本実施形態のインサート１においては上面３及び下面５の形状が略四角形である。しかし、上面３及び下面５の形状は、三角形又は五角形のような多角形の形状であってもよい。また、本実施形態における上面３及び下面５は菱形である。しかし、四角形の形状としては菱形に限られず、例えば、平行四辺形であってもよい。
【００１８】
本実施形態のインサート１における菱形の上面３における長手方向（図２における上下方向）の幅は、例えば１５〜２５ｍｍ程度に設定される。また、長手方向に直交する方向（図２における左右方向）の幅は、例えば３〜１０ｍｍ程度に設定される。菱形状の下面５における長手方向及び長手方向に直交する方向の幅は、上面３の大きさに合わせて設定される。インサート１の厚みは、例えば３〜７ｍｍ程度に設定される。このとき、厚みとは、インサート１を側面視した場合に、上面３のうち最も上方に位置する部分と下面５のうち最も下方に位置する部分までの高さ方向（図３における上下方向）の幅を意味している。
【００１９】
本実施形態のインサート１は、上面３の中心から下面５の中心にかけて貫通する貫通孔１１を有している。貫通孔１１は、インサート１を切削工具のホルダにネジ止め固定する際にネジを挿入するために設けられている。なお、インサート１をホルダに固定する方法としては、上記のネジ止め固定による方法に代えて、クランプ構造を採用してもよい。
【００２０】
貫通孔１１が上面３の中心から下面５の中心にかけて形成されていることから、貫通孔１１の中心軸Ｏ１は、上下方向に延びている。そこで以下において、中心軸Ｏ１に対して直交し、上面３と下面５との間に位置する基準面Ｓ１を設定する。基準面Ｓ１は、本実施形態のインサート１における各構成部位の上下方向の位置を評価するために用いられる。本実施形態においては、基準面Ｓ１は下面５に対して平行に位置している。
【００２１】
上面３の中心とは上面３における重心を意味している。本実施形態のように上面３が菱形である場合においては、対角線の交点が上面３の中心となる。同様に、下面５の中心とは下面５における重心を意味している。本実施形態のように下面５が菱形である場合においては、対角線の交点が下面５の中心となる。
【００２２】
側面７は、上面３と下面５との間に位置しており、上面３及び下面５に接続されている。上記の通り、下面５は上面３よりも一回り小さくなっていることから、側面７は上面３の側から下面５の側に向かうにしたがって中心軸Ｏ１に近付くように傾斜している。
【００２３】
上面３と側面７とが交差する稜線には切刃９が設けられている。本実施形態のインサート１においては、切刃９が、コーナ切刃１３（主切刃）及び副切刃１５を有している。コーナ切刃１３は、上面３におけるコーナ部に設けられている。副切刃１５は、上面３における一対の辺部にそれぞれ設けられている。すなわち、本実施形態における副切刃１５とは、切刃９のうちで上面３における一対の辺部に設けられた部分を意味している。
【００２４】
コーナ部が上面視において丸みを帯びた形状となっていることから、コーナ切刃１３は、上面視において丸みを帯びた形状となっている。具体的には、コーナ切刃１３は、外側に凸の円弧形状となっている。また、コーナ切刃１３は、側面視において高さが一定となっている。副切刃１５は、上面視においてほぼ直線形状となっている。また、副切刃１５は、側面視においてコーナ切刃１３から離れるにつれて下面５に近付くように傾斜した部分を有している。一方、副切刃１５は、上面３における一対の辺部に設けられていることから、上面視した場合に直線形状となっている。
【００２５】
上面３と側面７とが交差する領域であって切刃９が設けられている部分には、いわゆるホーニング加工が施されていてもよい。すなわち、上面３と側面７とが交差する稜線は、それぞれ２つの面が交差することによる厳密な線形状でなくてもよい。上記の稜線が厳密な線形状であると切刃９の強度が低下する。そのため、この領域が曲面形状となるＲホーニングが施される。
【００２６】
なお、本実施形態のインサート１１は、上面３と側面７とが交差する稜線のみに切刃９が設けられた、いわゆる片面仕様のインサート１である。しかしながら、インサート１としては、上面３と側面７とが交差する稜線に加えて、下面５と側面７とが交差する稜線にも切刃が設けられた、いわゆる両面仕様のインサートであっても何ら問題ない。
【００２７】
本実施形態における上面３は、第１すくい面１７、第２すくい面１９、第３すくい面２１及び隆起部２３を有している。第１すくい面１７は、上面視においてコーナ切刃１３に沿って位置しており、コーナ切刃１３から離れるにしたがって下方に向かって傾斜している。
【００２８】
第２すくい面１９は、上面視においてコーナ切刃１３と隆起部２３との間に位置している。第１すくい面１７がコーナ切刃１３の全体に沿って位置していることから、コーナ切刃１３と第２すくい面１９との間には第１すくい面１７の少なくとも一部が位置している。本実施形態においては、第２すくい面１９は、第１すくい面１７よりも内側に位置している。そのため、第２すくい面１９は、第１すくい面１７と隆起部２３との間に位置している。
【００２９】
このとき、第２すくい面１９は、第１すくい面１７に対して窪んでいる。すなわち、第２すくい面１９は、第１すくい面１７に対して凹形状の部位となっている。そのため、第２すくい面１９は、第１すくい面１７を基準とした場合に下方に凹となっている。具体的には、断面視した場合に、第１すくい面１７を上面３の内側に向かって引き伸ばした仮想延長線Ｓ２よりも第２すくい面１９が下方に位置している。第３すくい面２１は、上面視において副切刃１５に沿って位置しており、副切刃１５から離れるにしたがって下方に向かって傾斜している。
【００３０】
上面視における切刃９に直交する方向での第１すくい面１７の外側の縁と内側の縁との間隔で示される第１すくい面１７の幅は、０．０８〜０．２５ｍｍ程度に設定される。同様に、上面視における切刃９に直交する方向での第３すくい面２１の外側の縁と内側の縁との間隔で示される第３すくい面２１の幅は、０．１５〜０．４ｍｍ程度に設定される。
【００３１】
隆起部２３は、第１すくい面１７及び第３すくい面２１よりも上面３の内側に位置しており、上方に向かって隆起している。隆起部２３は、第１すくい面１７及び第２すくい面１９を通ってきた切屑を湾曲させる部分である。なお、上方に向かって隆起しているとは、第１すくい面１７及び第３すくい面２１の下端よりも基準面Ｓ１からの高さが高くなるように設けられている状態を意味している。
【００３２】
本実施形態における隆起部２３は、コーナ部の二等分線Ｌを含むように位置する先端部２５を有している。先端部２５は、コーナ部の二等分線Ｌを含むようにコーナ部の二等分線Ｌ上に位置している。また、先端部２５は、コーナ切刃１３に向かって突出している。
【００３３】
コーナ部の二等分線Ｌを含み、基準面Ｓ１に対して直交する断面において、先端部２５は、基準面Ｓ１に対して平行な上面部分２５ａ及び上面部分２５ａよりもコーナ部の側に位置して、コーナ部に近付くにつれて下方に傾斜する先端面部分２５ｂを有している。上面部分２５ａは、切刃９よりも高い位置に設けられている。また、先端面部分２５ｂは、平坦な傾斜面である。
【００３４】
本実施形態においては、上面３が、上記の通り第１すくい面１７の少なくとも一部よりも内側に位置する第２すくい面１９を有している。そのため、コーナ切刃１３を用いて切削加工を行う際に、送りが低く、切屑の厚みが薄い場合には、この第２すくい面１９に切屑が引き込まれるので安定して切屑を湾曲させることができる。
【００３５】
また、送りが高く、切屑の厚みが厚い場合には、切屑が第２すくい面１９に接触せずに隆起部２３に接触する。このように、窪んだ形状である第２すくい面１９は、厚い切屑が進行する際に邪魔にならない。また、切屑が第２すくい面１９に接触しないことによって、上面３における切屑が接触する面積を小さくできる。そのため、切屑の接触に伴い発生する摩擦熱を抑制できる。
【００３６】
図７、８に示すように、基準面Ｓ１に直交するとともに第２すくい面１９と交差する断面において、第２すくい面１９は、コーナ切刃１３から離れるにしたがって下方に向かって傾斜する傾斜面を有している。この傾斜面の基準面Ｓ１に対する傾斜角が第２すくい面１９のすくい角となる。なお、１つの断面において上記の傾斜面の基準面Ｓ１に対する傾斜角が一定でない場合には、基準面Ｓ１に対する傾斜角の最大値を第２すくい面１９のすくい角とする。第２すくい面１９は、第１すくい面１７に対して窪んでいることから、第２すくい面１９のすくい角は、第１すくい面１７のすくい角よりも大きい。
【００３７】
このとき、第２すくい面１９におけるコーナ切刃１３の中心に対応する領域（以下、便宜的に第１領域とする）と、第２すくい面１９における第１領域の側方に位置する第２領域とですくい角が同じ値ではない。具体的には、第２すくい面１９における第１領域でのすくい角が、第２すくい面１９における第２領域でのすくい角よりも大きい。
【００３８】
例えば、本実施形態においては、第１領域でのすくい角θ１と、第２領域におけるコーナ切刃１３の両端部に対応する領域（以下、便宜的に端部領域とする）でのすくい角θ２とが同じ値ではない。図７、８に示すように、例えば、第２すくい面１９における第１領域でのすくい角θ１が、端部領域でのすくい角θ２よりも大きい。
【００３９】
第２すくい面１９における第１領域のすくい角θ１が相対的に大きいことによって、以下の利点が得られる。切屑の厚みが薄く、コーナ切刃１３の中央部分のみが用いられる特に切り込み量の小さい加工においては、第２すくい面１９の第１領域において切屑を安定して湾曲させることができる。
【００４０】
また、第２すくい面１９における第２領域のすくい角が相対的に小さいことによって、切屑の厚みが薄く、切り込み量が相対的に大きい加工、すなわち、コーナ切刃１３における広範囲の部分が用いられる加工において以下の利点が得られる。
【００４１】
コーナ切刃１３が上面視において丸みを帯びた形状となっていることから、第１領域に引き込まれた切屑の進行方向と、第２領域に引き込まれた切屑の進行方向とは互いに異なる。そのため、第２領域のすくい角が大きく、第２領域に引き込まれた切屑も大きく湾曲すると、切屑の進行方向が不安定になり易い。
【００４２】
しかしながら、本実施形態においては、第１領域に引き込まれた切屑が大きく湾曲する一方で、第２領域に引き込まれた切屑は小さく湾曲する。そのため、第２領域に引き込まれた切屑が第１領域に引き込まれた切屑に引っ張られ易くなり、切屑の排出方向が安定する。
【００４３】
以上の通り、第２すくい面１９における第１領域でのすくい角θ１が、第２すくい面１９における第２領域でのすくい角よりも大きいことによって、切り込み量が大きい場合であっても小さい場合であっても安定して切屑を排出できる。
【００４４】
特に、第２すくい面１９は、第１領域から第２領域における端部領域に向かうにしたがってすくい角が小さくなっていることが好ましい。すなわち、第２すくい面１９は、第２領域において、第１領域に近接する領域から端部領域に向かうにしたがってすくい角が小さくなっていることが好ましい。ここで、端部領域とは、第２領域におけるコーナ切刃１３の両端部に対応する領域を意味している。これにより、切り込み量が変化した場合であってもさらに安定して切屑を排出できるからである。
【００４５】
具体的には、第１領域と端部領域との中間に位置する領域でのすくい角を測定した場合に、このすくい角が、第１領域でのすくい角θ１よりも小さく、かつ、端部領域でのすくい角θ２よりも大きい。
【００４６】
さらに、本実施形態においては、第２すくい面１９は、第１領域に隣接する領域から端部領域に向かうにしたがって下端の下面５からの高さが高くなっている。これによって、第１領域に引き込まれた切屑をより一層大きく湾曲させるとともに、端部領域に引き込まれた切屑をより一層小さく湾曲させることができる。
【００４７】
具体的には、第１領域と端部領域との中間に位置する領域での下端の下面５からの高さを測定した場合に、この高さが、第１領域での下端の高さよりも高く、かつ、端部領域での下端の高さよりも小さい。
【００４８】
本実施形態においては、上面視した場合にコーナ切刃１３の二等分線Ｌに直交する方向における、コーナ切刃１３の幅Ｗ１が第２すくい面１９の幅Ｗ２よりも大きい。副切刃１５で生じた切屑は第３すくい面２１の上を流れる。副切刃１５は、上述の通り概ね直線形状である一対の辺部に形成されている。そのため、副切刃１５で生じた切屑の進行方向は安定し易い。
【００４９】
しかしながら、コーナ切刃１３の幅Ｗ１が第２すくい面１９の幅Ｗ２よりも小さい場合には、副切刃１５で生じて第３すくい面２１を流れる切屑が第２すくい面１９に入り込み易くなる。副切刃１５で生じた切屑が第２すくい面１９に入り込むと、第２すくい面１９に入り込んだ部分に引き込まれて、切屑の進行方向が却って不安定になる可能性がある。
【００５０】
一方、本実施形態のようにコーナ切刃１３の幅Ｗ１が第２すくい面１９の幅Ｗ２よりも大きい場合には、副切刃１５で生じた切屑が第２すくい面１９に入り込みにくくなる。そのため、副切刃１５で生じた切屑の進行方向も安定させることができる。
【００５１】
本実施形態においては、上面視した場合に、コーナ切刃１３と副切刃１５との境界部分から、上面の内側であって、上記の境界部分における切刃９に直交する方向に進んだ先に、第２すくい面１９の端部が位置している。そのため、コーナ切刃１３で生じた切屑をより確実に第２すくい面１９へと進行させつつ、副切刃１５で生じた切屑が第２すくい面１９へと入り込むことが避けられる。このとき、コーナ切刃１３が凸曲線形状であるとともに副切刃１５が直線形状であることから、コーナ切刃１３と副切刃１５との境界部分とは、切刃における直線部分から曲線部分へと変わる部分を意味する。
【００５２】
また、図７に示すように、コーナ切刃１３に直交し、コーナ切刃１３の二等分線Ｌを含む断面において、第２すくい面１９の底部が凹曲線形状である。第２すくい面１９の底部が平坦な面であってもよいが、図７に示すように、第２すくい面１９の底部が凹曲線形状である場合には、切屑が底部に沿って安定して進み易くなる。そのため、切屑を安定して湾曲させることができる。
【００５３】
本実施形態における第２すくい面１９は、上面視した場合に、外周縁におけるコーナ切刃１３と対向する部分がコーナ切刃１３に向かって凸曲線形状となっている。これにより、コーナ切刃１３と第２すくい面１９との間に位置する第１すくい面１７の幅のばらつきを抑えることができる。そのため、コーナ切刃１３の各領域において生じた切屑が第２すくい面１９へと進行するタイミングのばらつきが抑えられる。従って、切屑を円滑に第２すくい面１９へと進行させることができる。
【００５４】
特に、本実施形態においては、上面視した場合に、上記の部分が単に凸曲線形状であるというものではなく、円弧形状である。これにより、コーナ切刃１３の各領域において生じた切屑が第２すくい面１９へと進行するタイミングのばらつきをさらに抑えることができる。
【００５５】
また、本実施形態においては、第２すくい面１９における第１領域でのすくい角θ１が、第２すくい面１９における第２領域でのすくい角よりも大きい一方で、第１すくい面１７のすくい角は、コーナ切刃１３の中心に対応する位置からコーナ切刃１３の両端部に対応する位置にかけて一定である。これにより、コーナ切刃１３から第１すくい面１７を通って第２すくい面１９へと向かう切屑の進行方向を安定させることができる。
【００５６】
本実施形態における第２すくい面１９は、第１すくい面１７よりも内側に位置しており、隆起部２３に接続している。これにより、第２すくい面１９を通る切屑を円滑に隆起部２３に接触させることができる。そのため、隆起部２３において切屑を良好に湾曲させることができる。
【００５７】
しかしながら、本発明は当該構成に限定されるものではなく、第２すくい面１９が隆起部２３に接続していなくてもよい。図１１、１２に示す変形例においては、第２すくい面１９が第１すくい面１７に囲まれて位置しており、第２すくい面１９が隆起部２３から離れている。
【００５８】
なお、図１１、１２に示す変形例は、第２すくい面１９の第１すくい面１７及び隆起部２３に対する位置関係が本実施形態と相違するのみである。従って、図１１、１２に示す変形例においても、第２すくい面１９における第１領域のすくい角θ１が、第２すくい面１９における第２領域でのすくい角よりも大きい。
【００５９】
＜切削工具＞
次に、本発明の一実施形態の切削工具１０１について図面を用いて説明する。
【００６０】
本実施形態の切削工具１０１は、図１３、１４に示すように、先端側にインサートポケット１０３（以下、単にポケット１０３ともいう）を有するホルダ１０５と、コーナ切刃１３がホルダ１０５の先端から突出するようにポケット１０３に装着された上記の切削インサート１とを備えている。
【００６１】
ホルダ１０５は、細長く伸びた棒形状をなしている。そして、ホルダ１０５の先端側には、ポケット１０３が１つ設けられている。ポケット１０３は、インサート１が装着される部分であり、ホルダ１０５の先端面に対して開口している。このとき、ポケット１０３がホルダ１０５の側面に対しても開口していることによって、インサート１の装着を容易に行うことができる。具体的には、ポケット１０３は、ホルダ１０５の下面に対して平行な着座面と、着座面に対して傾斜する拘束側面とを有している。
【００６２】
ポケット１０３にはインサート１が装着される。インサート１は、コーナ切刃１３がホルダ１０５の先端から突出するように装着される。本実施形態においては、インサート１は、固定ネジ１０７によって、ホルダ１０５に装着されている。すなわち、インサート１の貫通孔に固定ネジ１０７を挿入し、この固定ネジ１０７の先端をポケット１０３に形成されたネジ孔に挿入してネジ部同士を螺合させることによって、インサート１がホルダ１０５に装着されている。
【００６３】
ホルダ１０５としては、鋼、鋳鉄などを用いることができる。特に、これらの部材の中で靱性の高い鋼を用いることが好ましい。
【００６４】
＜切削加工物の製造方法＞
次に、本発明の一実施形態の切削加工物の製造方法について図面を用いて説明する。
【００６５】
切削加工物は、被削材２０１を切削加工することによって作製される。本実施形態における切削加工物の製造方法は、以下の工程を備えている。すなわち、
（１）被削材２０１を回転させる工程と、
（２）回転している被削材２０１に上記実施形態に代表される切削工具１０１のコーナ切刃を接触させる工程と、
（３）切削工具１０１を被削材２０１から離す工程と、
を備えている。
【００６６】
より具体的には、まず、図１５に示すように、被削材２０１を軸Ｏ２の周りで回転させるとともに、被削材２０１に切削工具１０１を相対的に近付ける。次に、図１６に示すように、切削工具１０１におけるコーナ切刃を回転している被削材２０１に接触させて、被削材２０１を切削する。そして、図１７に示すように、切削工具１０１を被削材２０１から相対的に遠ざける。
【００６７】
本実施形態においては、軸Ｏ２を固定するとともに被削材２０１を回転させた状態で切削工具１０１をＸ１方向に移動させることによって被削材２０１に近付けている。また、図１６においては、回転している被削材２０１に切削インサート１におけるコーナ切刃１３を接触させることによって被削材２０１を切削している。また、図１７においては、被削材２０１を回転させた状態で切削工具１０１をＸ２方向に移動させることによって遠ざけている。
【００６８】
なお、本実施形態の製造方法における切削加工では、それぞれの工程において、切削工具１０１を動かすことによって、切削工具１０１を被削材２０１に接触させる、あるいは、切削工具１０１を被削材２０１から離しているが、当然ながらこのような形態に限定されるものではない。
【００６９】
例えば、（１）の工程において、被削材２０１を切削工具１０１に近付けてもよい。同様に、（３）の工程において、被削材２０１を切削工具１０１から遠ざけてもよい。切削加工を継続する場合には、被削材２０１を回転させた状態を維持して、被削材２０１の異なる箇所に切削インサート１におけるコーナ切刃１３を接触させる工程を繰り返せばよい。
【００７０】
なお、被削材２０１の材質の代表例としては、炭素鋼、合金鋼、ステンレス、鋳鉄、又は非鉄金属などが挙げられる。
【００７１】
以上、本発明の一実施形態について例示したが、本発明は上述した実施形態に限定されるものではなく、本発明の要旨を逸脱しない限り任意のものとすることができることは言うまでもない。
【符号の説明】
【００７２】
１・・・切削インサート（インサート）
３・・・上面
５・・・下面
７・・・側面
９・・・切刃
１１・・・貫通孔
１３・・・コーナ切刃
１５・・・副切刃
１７・・・第１すくい面
１９・・・第２すくい面
１９ａ・・・底部
２１・・・第３すくい面
２３・・・隆起部
２５・・・先端部
２５ａ・・・上面部分
２５ｂ・・・先端面部分
１０１・・・切削工具
１０３・・・インサートポケット（ポケット）
１０５・・・ホルダ
１０７・・・固定ネジ
２０１・・・被削材
【図１】
2016017470.tif 000003
【図２】
2016017470.tif 000004
【図３】
2016017470.tif 000005
【図４】
2016017470.tif 000006
【図５】
2016017470.tif 000007
【図６】
2016017470.tif 000008
【図７】
2016017470.tif 000009
【図８】
2016017470.tif 000010
【図９】
2016017470.tif 000011
【図１０】
2016017470.tif 000012
【図１１】
2016017470.tif 000013
【図１２】
2016017470.tif 000014
【図１３】
2016017470.tif 000015
【図１４】
2016017470.tif 000016
【図１５】
2016017470.tif 000017
【図１６】
2016017470.tif 000018
【図１７】
2016017470.tif 000019
【国際調査報告】
2016017470.tif 000020
2016017470.tif 000021
2016017470.tif 000022
2016017470.tif 000023